(57)【要約】      （修正有）【課題】小型船舶の船底に設けられる生け簀装置において、船の前進に伴って生け簀装置に給排水する海水量を調節すると共に、停船時に海水を汲み上げて供給できるようにした生け簀装置を提供する。【解決手段】小型船舶の船底１ａに設けた複数の貫通孔１ｂに、給水用の第１のスカッパー３及び排水用の第２のスカッパー４がそれぞれ取り付けた生け簀装置において、第１のスカッパー３及び第２のスカッパー４に海水量調節手段７をそれぞれ取り付ける。この海水量調節手段７は外側ねじ部７ｃによって螺着するように構成されており、その螺合の度合い（進退）により取水口７ｂの開口面積Ｓを変えることで、生け簀装置に給排水する海水量を調節する。停船時には第１のスカッパー３側にポンプ（図略）を取り付け、海水を汲み上げて生け簀装置に給水する。【選択図】図２
0003137206.tif 000002
【実用新案登録請求の範囲】
【請求項１】
船底に設けた複数の貫通孔を介して海水が出入する生け簀装置が船底の内側に設けられ、前記貫通孔のうち、船の前進方向に対して前部に位置する貫通孔には、当該船の前進時に前記生け簀装置内に海水を導入する機能を有する第１のスカッパーが取り付けられると共に、後部に位置する貫通孔には前記生け簀装置内の海水を外部に導出する機能を有する第２のスカッパーが取り付けられた生け簀装置であって、前記第１のスカッパー及び／又は第２のスカッパーに、前記生け簀装置に給排水する海水量を調節するための海水量調節手段を取り付けたことを特徴とする生け簀装置。
【請求項２】
前記海水量調節手段は、円筒状に形成された前記第１のスカッパー及び／又は第２のスカッパーに取り付ける円筒状の蓋体であって、その胴部に取水口が設けられたことを特徴
とする請求項１に記載の生け簀装置。
【請求項３】
前記海水量調節手段は、前記第１のスカッパー及び／又は第２のスカッパーの軸線方向に沿って上下動可能に取り付けられ、前記取水口の開口面積を変えることにより前記生け簀装置に給排水する海水量を調節することを特徴とする請求項２に記載の生け簀装置。
【請求項４】
前記海水量調節手段は円筒状の胴部にねじ部が形成され、当該ねじ部を前記第１のスカッパー及び／又は第２のスカッパーに形成されたねじ部に螺合することによりそれぞれ取り付けられ、当該螺合の進退により開口面積を変えることを特徴とする請求項３に記載の生け簀装置。
【請求項５】
前記第１のスカッパー、第２のスカッパー及び海水量調節手段は、合成樹脂材で形成されていることを特徴とする請求項１ないし請求項４いずれかに記載の生け簀装置。
【請求項６】
停船時に前記第１のスカッパーから海水量調節手段を外すと共に、当該第１のスカッパーにポンプを取り付けることを特徴とする請求項１に記載の生け簀装置。
【請求項７】
前記ポンプは円筒状の取付部材に固定され、当該取付部材にはねじ部が形成されており、このねじ部を前記第１のスカッパーに形成されたねじ部に螺合することで取り付けることを特徴とする請求項６に記載の生け簀装置。
【請求項８】
前記ポンプは、その取水口が停船時における前記生け簀装置内の海水の水位よりも低位に位置することを特徴とする請求項６又は請求項７に記載の生け簀装置。
【考案の詳細な説明】
【技術分野】
【０００１】
本考案は、小型船舶の船底に設けられる生け簀装置の改良に関する。
【背景技術】
【０００２】
一般に、小型の漁船や海釣り用モータボート等には釣り上げた魚や網漁などによる漁獲物等を、帰港するまで活かした状態で保管するために船底の内側に生け簀装置が設けられ、船底に設けた貫通孔を介して生け簀装置に海水を給排水できるようにしてある。
【０００３】
しかしながら、上記生け簀装置への海水の給排水は小型船舶の航行に伴って行われるため、航行速度によっては大量の海水が勢い良く給水され、生け簀装置内に保管されている魚等を弱らせ或は死滅させる等の不都合があった。又、海上で停船して釣りをするような場合には、生け簀装置内への海水の給排水が行われなくなり、水温やアンモニア濃度等が上昇して酸素が欠乏し、生け簀装置内の魚等に悪影響を及ぼすこともあった。
【０００４】
この種の生け簀装置としては、従来例えば特許文献１や特許文献２に開示されているが、特許文献１には、遊魚用舟艇における生け簀内への海水の逆流を阻止して生け簀内の余剰水を自動排水できるようにした生け簀の余剰水排出装置が記載され、特許文献２には、生け簀底部に設けられたスカッパー（給排水栓）に装着される逆流防止弁が記載されている。
【特許文献１】特開２００５−１４６６１
【特許文献２】特開２００７−１９１０７２
【考案の開示】
【考案が解決しようとする課題】
【０００５】
上記従来の生け簀装置は、主として小型船舶の航行に伴って生け簀装置内の海水を排水する技術に関するものであり、生け簀装置内への給排水に際してその給排水量を調節する技術に関しては何ら開示されていない。又、生け簀装置内に海水が給水されない停船時において、生け簀装置内の魚等を保護する技術については何ら開示されていない。
【０００６】
本考案は、上記従来技術における問題点を解決するためになされ、小型船舶の船底の内側に設けられ、船の航行によって海水を給排水するようにした生け簀装置において、当該生け簀装置内への海水の給排水量を調節できると共に、停船時において生け簀装置内の魚等を保護できるようにした生け簀装置を提供することを目的とする。
【課題を解決するための手段】
【０００７】
上記の目的を達成するために、請求項１の考案は、船底に設けた複数の貫通孔を介して海水が出入する生け簀装置が船底の内側に設けられ、前記貫通孔のうち、船の前進方向に対して前部に位置する貫通孔には、当該船の前進時に前記生け簀装置内に海水を導入する機能を有する第１のスカッパーが取り付けられると共に、後部に位置する貫通孔には前記生け簀装置内の海水を外部に導出する機能を有する第２のスカッパーが取り付けられた生け簀装置であって、前記第１のスカッパー及び／又は第２のスカッパーに、前記生け簀装置に給排水する海水量を調節するための海水量調節手段を取り付けたことを特徴とする。
【０００８】
請求項２の考案は、請求項１に記載の生け簀装置において、前記海水量調節手段は、円筒状に形成された前記第１のスカッパー及び／又は第２のスカッパーに取り付ける円筒状の蓋体であって、その胴部に取水口が設けられたことを特徴とする。
【０００９】
請求項３の考案は、請求項２に記載の生け簀装置において、前記海水量調節手段は、前記第１のスカッパー及び／又は第２のスカッパーの軸線方向に沿って上下動可能に取り付けられ、前記取水口の開口面積を変えることにより前記生け簀装置に給排水する海水量を調節すことを特徴とする。
【００１０】
請求項４の考案は、請求項３に記載の生け簀装置において、前記海水量調節手段は円筒状の胴部にねじ部が形成され、当該ねじ部を前記第１のスカッパー及び／又は第２のスカッパーに形成されたねじ部に螺合することによりそれぞれ取り付けられ、当該螺合の進退により開口面積を変えることを特徴とする。
【００１１】
請求項５の考案は、請求項１ないし請求項４いずれかに記載の生け簀装置において、前記第１のスカッパー、第２のスカッパー及び前記海水量調節手段は、合成樹脂材で形成されていることを特徴とする。
【００１２】
請求項６の考案は、請求項１に記載の生け簀装置において、停船時に前記第１のスカッパーから海水量調節手段を外すと共に、当該第１のスカッパーにポンプを取り付けることを特徴とする。
【００１３】
請求項７の考案は、請求項６に記載の生け簀装置において、前記ポンプは円筒状の取付部材に固定され、当該取付部材にはねじ部が形成されており、このねじ部を前記第１のスカッパーに形成されたねじ部に螺合することで取り付けることを特徴とする。
【００１４】
請求項８の考案は、請求項６又は請求項７に記載の生け簀装置において、前記ポンプは、その取水口が停船時における前記生け簀装置内の海水の水位よりも低位に位置することを特徴とする。
【考案の効果】
【００１５】
上記請求項１の考案によれば、船底の内側に設けられた生け簀装置において、船の前進時に、生け簀装置内に海水を導入する機能を有する第１のスカッパーに取り付けた海水量調節手段によって、生け簀装置内への給水量を調節することができると共に、生け簀装置内の海水を外部に導出する機能を有する第２のスカッパーに取り付けた海水量調節手段によって、生け簀装置からの排水量を調節することができる。これにより、生け簀装置に対する給排水量を適正に調節することが可能となり、魚等の漁獲物を最適な状態で保管することができる。
【００１６】
上記請求項２の考案によれば、前記海水量調節手段は円筒状の蓋体であって、その胴部に取水口を設けることにより簡単に構成することができ、この海水量調節手段は円筒状に形成された前記第１のスカッパー、第２のスカッパーにそれぞれ容易に取り付けることができる。
【００１７】
上記請求項３の考案によれば、前記海水量調節手段は第１のスカッパー、第２のスカッパーの軸線方向に沿ってそれぞれ上下動可能に取り付けることにより、前記取水口の開口面積を変えることで生け簀装置への給排水量をそれぞれ容易に調節することができる。
【００１８】
上記請求項４の考案によれば、前記海水量調節手段は円筒状の胴部に形成されているねじ部を、第１のスカッパー、第２のスカッパーのねじ部にそれぞれ螺合することで容易に取り付けることができ、且つその螺合の進退により取水口の開口面積を変えることができる。
【００１９】
上記請求項５の考案によれば、前記第１のスカッパー、第２のスカッパー及び海水量調節手段は、いずれも合成樹脂材で形成することにより安価に製造することができ、発錆を防止することもできる。
【００２０】
上記請求項６の考案によれば、停船時に前記第１のスカッパーから海水量調節手段を外すと共に、当該第１のスカッパーにポンプを取り付けることにより生け簀装置内に新しい海水を導入することができる。これにより、生け簀装置内の水温やアンモニア濃度の上昇を抑えて酸欠状態を回避することができる。
【００２１】
上記請求項７の考案によれば、前記ポンプは円筒状の取付部材に固定され、当該取付部材にねじ部が形成され、このねじ部を前記第１のスカッパーに形成されたねじ部に螺合することにより容易に取り付けることができる。
【００２２】
上記請求項８の考案によれば、停船時に前記ポンプの取水口は、生け簀装置内の海水の水位よりも低位に位置するため、呼び水を必要とせずに直ちに作動させることができる。
【考案を実施するための最良の形態】
【００２３】
以下、本考案に係る生け簀装置の実施形態を添付図面に基づいて説明する。
図１は、本考案に係る生け簀装置を小型船舶に設けた実施形態を示すもので、（ａ）はその概略平面図、（ｂ）は概略側面図である。図１（ａ）、（ｂ）において、１は漁船や海釣り用モータボート等の小型船舶であり、その船尾近傍の船底の内側に生け簀装置２が設けられている。
【００２４】
この生け簀装置２は、箱形に形成されると共に上端には蓋体２ａがヒンジ２ｂを介して開閉可能に取り付けられている。生け簀装置２の底板は、図２（ａ）に示すように小型船舶１の船底１ａの一部が兼ねており、その船底部分に複数の貫通孔１ｂが形成されている。そして、複数の貫通孔１ｂのうち、船の前進方向Ａに対して前部に位置する貫通孔１ｂには、当該船の前進時に前記生け簀装置２内に海水を導入する機能を有する第１のスカッパー３が取り付けられると共に、後部に位置する貫通孔１ｂには前記生け簀装置２内の海水を外部に導出する機能を有する第２のスカッパー４が取り付けられている。
【００２５】
第１のスカッパー３と第２のスカッパー４とは、図１（ａ）に示すように船の前進方向Ａに対して一直線状に位置しておらず、第１のスカッパー３は生け簀装置２の前部左寄りに、第２のスカッパー４は後部右寄りにそれぞれ偏って配置されている。船の前進時に、第１のスカッパー３から生け簀装置２内に流入した海水が十分に対流するようにし、短時間で第２のスカッパー４から外部に流出するのを防ぐためである。
【００２６】
又、本実施形態では前記小型船舶１の船底に設ける貫通孔１ｂは２個としたが、これに限定されずに貫通孔１ｂを３個以上設けてそれに応じてスカッパーを３個以上取り付けるようにしても良い。小型船舶１の場合は、通常生け簀装置２の大きさは縦、横寸法は５００〜１０００ｍｍ、高さ寸法は３００〜４００ｍｍ程度であり、生け簀装置２の大きさによってスカッパーの数を適宜設定するものとする。
【００２７】
前記第１のスカッパー３は、図２（ａ）に示すように円筒状に形成された胴部３ａを前記船底１ａに設けた前部の貫通孔１ｂに下から嵌入し、胴部３ａの下端部に設けられたフランジ部３ｂを貫通孔１ｂの下端周縁部に当接させると共に、胴部３ａの外周面に設けた外側ねじ部３ｃに、締め付けリング５の内周面に設けた内側ねじ部５ａを螺合することで、当該締め付けリング５を胴部３ａに螺着する。これにより、第１のスカッパー３のフランジ部３ｂと、締め付けリング５の下端面とで船底１ａを挟み付けることで、第１のスカッパー３を船底１ａの前部貫通孔１ｂに嵌入固定することができる。尚、締め付けリング５側にはシールリング６を介在させ、更に図示は省略したが締め付けリング５は、螺着後の回転戻りを防止するために船底１ａにねじ止めすると好ましい。
【００２８】
この第１のスカッパー３は図２（ａ）のように下端面３ｄが水平ではなく、船の前進方向Ａに向かって上向きに傾斜する傾斜面に形成されており、且つ図２（ｂ）のように格子状に形成されると共に、船の前進方向Ａに対して直角方向の横桟３ｅは、それぞれ船の前進方向Ａに向かって下向きに傾斜する傾斜桟に形成されている。尚、船の前進方向Ａと同方向の縦桟３ｆは、それぞれ船の前進方向Ａに向かって上向きに傾斜している。
【００２９】
前記第２のスカッパー４は、第１のスカッパー３と同じく円筒状に形成された胴部４ａを前記船底１ａに設けた後部の貫通孔１ｂに下から嵌入し、胴部４ａの下端部に設けられたフランジ部４ｂを貫通孔１ｂの下端周縁部に当接させると共に、胴部４ａの外周面に設けた外側ねじ部４ｃに、前記締め付けリング５の内周面に設けた内側ねじ部５ａを螺合することで、当該締め付けリング５を胴部４ａに螺着する。これにより、第２のスカッパー４のフランジ部４ｂと、締め付けリング５の下端面とで船底１ａを挟み付けることで、第２のスカッパー４を船底１ａの後部貫通孔１ｂに嵌入固定することができる。この場合も、締め付けリング５側にはシールリング６を介在させ、更に図示は省略したが締め付けリング５は、螺着後の回転戻りを防止するために船底１ａにねじ止めすると好ましい。
【００３０】
この第２のスカッパー４は図２（ａ）のように下端面４ｄが水平ではなく、船の前進方向Ａに向かって下向きに傾斜する傾斜面に形成されており、且つ格子状に形成されると共に、船の前進方向Ａに対して直角方向の横桟４ｅはそれぞれ船の前進方向Ａに向かって上向きに傾斜する傾斜桟に形成されている。尚、船の前進方向Ａと同方向の縦桟４ｆはそれぞれ船の前進方向Ａに向かって下向きに傾斜している。
【００３１】
前記第１のスカッパー３と第２のスカッパー４とは、実質的に同一の構成のものであり、下端面の傾斜方向を１８０度逆転させて船底１ａの貫通孔１ｂに取り付けてある。即ち、前記のように第１のスカッパー３は、下端面３ｄが船の前進方向Ａに向かって上向きに傾斜するように位置付けられ、これに対し第２のスカッパー４は下端面４ｄが船の前進方向Ａに向かって下向きに傾斜するように位置付けられており、これは第１のスカッパー３を水平面内で１８０度回転させた状態である。又、第１のスカッパー３と第２のスカッパー４とは、実質的に同一構成のものであるゆえ前記締め付けリング５、シールリング６を共通の部材とすることが可能である。
【００３２】
上記のように第１のスカッパー３と第２のスカッパー４とが取り付けられていることから、小型船舶１の前進時に第１のスカッパー３が生け簀装置２内に海水を導入する機能を発揮して給水すると共に、第２のスカッパー４が生け簀装置２内の海水を外部に導出する機能を発揮して排水する。
【００３３】
図３は、海水量調節手段７を示すものであり、前記第１のスカッパー３及び／又は第２のスカッパー４に取り付ける円筒状の蓋体であって、その胴部７ａに取水口７ｂが設けられると共に、胴部７ａの外周面に外側ねじ部７ｃが設けられている。この場合、取水口７ｂは胴部７ａを切り欠いて設けた切欠孔にしてあるが、これに限定されずに例えば縦長のスリットや長孔等であっても良い。又、取水口７ｂは胴部７ａに対向させて一対設けた例が示されているが、必ずしもこれに限定されずに１又は３個以上設けることも可能である。
【００３４】
この海水量調節手段７は、図２（ａ）に示すように前記外側ねじ部７ｃを第１のスカッパー３に設けられている内側ねじ部３ｇに螺合して取り付けることができる。その際、海水量調節手段７は螺合の度合いによって取水口７ｂの開口面積Ｓを自在に変えることができる。即ち、海水量調節手段７の螺合を進行させるに連れて開口面積Ｓは徐々に減少し、その反対に海水量調節手段７の螺合を退行させるに連れて開口面積Ｓは徐々に増大する。そして、螺合を停止すれば、その停止位置で開口面積Ｓの大きさが決まり、且つその大きさが保持される。第２のスカッパー４に対しても同様であるのでその説明は省略する。図２（ｃ）は第２のスカッパー４に海水量調節手段７を取り付けた状態を示す概略平面図である。
【００３５】
上記海水量調節手段７は、外側ねじ部７ｃの螺合の度合いによって取水口７ｂの開口面積Ｓを自在に変えるように構成したが、これに限定されずに例えば第１のスカッパー３、第２のスカッパー４の軸線方向に沿って上下動可能に取り付けることで、取水口７ｂの開口面積Ｓを変えるように構成することが可能である。
【００３６】
図４は、第１のスカッパー３に取り付けた海水量調節手段７を、最大限進行させて螺着した状態を示す概略縦断面図であり、この状態では取水口７ｂが第１のスカッパー３の上端縁より下位となるため前記開口面積Ｓはゼロとなる。このため、海水量調節手段７は、第１のスカッパー３の蓋としての機能を発揮する。海水量調節手段７の胴部７ａの最上部にシールリング１０を嵌装しておけば、このシールリング１０が海水量調節手段７のフランジ部７ｄと第１のスカッパー３の胴部３ａの上端部との間で狭着されることにより、蓋としてのシール機能を向上させることができる。
【００３７】
上記のように海水量調節手段７は蓋としての機能も十分備えているため、図５に示すような従来の蓋Ｃが不要になる。小型船舶１を岸壁に繋留しておくような場合には、前記の蓋Ｃで第１スカッパー３及び第２のスカッパー４を閉塞するのが通常である。第２のスカッパー４に対する蓋Ｃの取り付けも同様であるのでその説明は省略する。
【００３８】
本実施形態に係る生け簀装置２は上記のように構成されており、小型船舶１の前進時に、前記のように第１のスカッパー３及び第２のスカッパー４の海水量調節手段７を、例えば図２（ａ）のようにそれぞれ位置決めしておけば、第１のスカッパー３から海水を生け簀装置２内に給水できると共に、当該生け簀装置２内の海水を第２のスカッパー４から外部に排水することができる。
【００３９】
そして、第１のスカッパー３の海水量調節手段７によって生け簀装置２内に給水する海水量を調節でき、第２のスカッパー４の海水量調節手段７によって生け簀装置２内から外部に排水する海水量を調節できると共に、生け簀装置２内の海水を適量に保持することが可能となる。このため、船の航行速度によっては大量の海水が過度に給水され、生け簀装置２内での流勢が強すぎて保管されている魚等を激しく揺動して弱らせ、或は死滅させるといった従来の不都合を阻止することができる。
【００４０】
本実施形態では、第１のスカッパー３及び第２のスカッパー４の双方に海水量調節手段７をそれぞれ取り付けた例で説明したが、第１のスカッパー３又は第２のスカッパー４のいずれか一方に海水量調節手段７を取り付けて実施する場合もある。
【００４１】
一方、小型船舶１を海上で停船させ、錨を下ろしてその場で釣りをするような場合には、図１（ｂ）のように生け簀装置２内の海水は、吃水線Ｒと同じで一定の水位を保持することになる。停船中は生け簀装置２に対して給排水が行われないため、この状態で長時間釣りをしていると、生け簀装置２内の水温やアンモニア濃度等が上昇して酸素が欠乏し、保管されている魚等に悪影響を及ぼすことがある。
【００４２】
本考案では、図６に示すようなポンプ８を第１のスカッパー３に装着して海中から海水を汲み上げて、生け簀装置２内に給水することにより停船時での魚等に及ぼす悪影響を抑えるようにした。
【００４３】
この場合、ポンプ８は円筒状の取付部材９の上板９ａにビスで固定され、当該取付部材９の下部の外周面には外側ねじ部９ｂが形成されており、この外側ねじ部９ｂを第１のスカッパー３の内側ねじ部３ｇに螺合することで取り付けることができる。このポンプ８を取り付ける際には、前記第１のスカッパー３を外す。尚、ポンプ８を取り付けると、下部に設けられている取水口８ａが停船時における前記生け簀装置２内の海水位置（吃水線Ｒ）よりも低位に位置するようにしてある。当該ポンプ８としては、例えばピラニアビルジポンプ（シャフロ社製）を使用することができる。
【００４４】
停船時にポンプ８を作動させると、取付部材９及び第１のスカッパー３を介して海中に連通している海水を汲み上げて、排水口８ｂから生け簀装置２内に海水を供給することができる。停船中には第２のスカッパー４側から効率良く排水されないため、ポンプ８による給水量過多によって生け簀装置２が満杯にならないように非連続的に作動することが好ましい。ホンプ８から供給される海水は、生け簀装置２内を対流して撹拌するため酸欠状態を極力抑えることができる。
【産業上の利用可能性】
【００４５】
本考案は、特に釣り船として利用される小型船舶の船底に設けられる生け簀装置に適用することができ、船の航行によって海水を給排水するようにした生け簀装置であって、当該生け簀装置内への海水の給排水量を調節できると共に、停船時において生け簀装置内の魚等を保護することができる。
【図面の簡単な説明】
【００４６】
【図１】本考案に係る生け簀装置を小型船舶に設けた実施形態を示すもので、（ａ）はその概略平面図、（ｂ）は概略側面図である。
【図２】本考案に係る生け簀装置の要部を示すもので、（ａ）は海水量調節手段を取り付けた第１のスカッパー及び第２のスカッパーを示す概略断面図、（ｂ）は（ａ）におけるＸ−Ｘ線に沿う概略横断面図、（ｃ）は第２のスカッパーに海水量調節手段を取り付けた状態を示す概略平面図である。
【図３】本考案に係る生け簀装置の海水量調節手段を示す側面図である。
【図４】図３の海水量調節手段を最大限進行させて螺着した状態を示す概略縦断面図である。
【図５】スカッパーに従来の蓋を取り付けた状態を示す概略縦断面図である。
【図６】本考案に係る生け簀装置に取り付けるポンプを示す側面図である。
【図７】図６のポンプを第１のスカッパーに取り付けた状態を示す概略縦断面図である。
【符号の説明】
【００４７】
１  小型船舶
１ａ  船底
１ｂ  貫通孔
２  生け簀装置
３  第１のスカッパー
３ａ  胴部
３ｃ  外側ねじ部
３ｄ  下端面
３ｇ  内側ねじ部
４  第２のスカッパー
５  締め付けリング
５ａ  内側ねじ部
６  シールリング
７  海水量調節手段
７ａ  胴部
７ｂ  取水口
７ｃ  外側ねじ部
８  ポンプ
８ａ  取水口
９  取付部材
９ｂ  外側ねじ部
【図１】
0003137206.tif 000003
【図２】
0003137206.tif 000004
【図３】
0003137206.tif 000005
【図４】
0003137206.tif 000006
【図５】
0003137206.tif 000007
【図６】
0003137206.tif 000008
【図７】
0003137206.tif 000009